(57)【要約】【課題】  単一形態トランジスタを具えた走査駆動回路の提供。【解決手段】  薄膜トランジスタ液晶ディスプレイの形成に利用される単一形態の薄膜トランジスタを具えた走査駆動回路であり、該走査駆動回路はｐ型薄膜トランジスタ或いはｔ型薄膜トランジスタで組成されて製造工程を減らし、コストとエラーの発生率を減らすことができる。【選択図】        図３
2005004157.tif 000002
【特許請求の範囲】
【請求項１】
単一形態の薄膜トランジスタを採用して設計された液晶ディスプレイに運用される単一形態トランジスタを具えた走査駆動回路において、
異なるクロックの複数の信号入力で組成され、並びに次ステージのロジック回路中の第１入力端に接続される第１クロック入力セットと、
異なるクロックの複数の信号入力で組成され、並びに次ステージのロジック回路中の第２入力端に接続される第２クロック入力セットと、
複数のロジック回路ユニットで組成されると共に、各ロジック回路ユニット中に該第１入力端と該第２入力端が設置されているほか、前置端と出力端が設置された、ロジック回路セットと、
を具え、走査駆動回路が異なるクロックの信号出力制御信号を受け取ることにより、液晶ディスプレイの表示ユニットを駆動することを特徴とする、単一形態トランジスタを具えた走査駆動回路。
【請求項２】
請求項１記載の単一形態トランジスタを具えた走査駆動回路において、第１クロック入力セットが複数の入力クロックを具えたことを特徴とする、単一形態トランジスタを具えた走査駆動回路。
【請求項３】
請求項１記載の単一形態トランジスタを具えた走査駆動回路において、第２クロック入力セットが複数の入力クロックを具えたことを特徴とする、単一形態トランジスタを具えた走査駆動回路。
【請求項４】
請求項１記載の単一形態トランジスタを具えた走査駆動回路において、各ロジック回路ユニットが複数のトランジスタを具えると共に、各トランジスタがｐ型トランジスタ或いはｎ型トランジスタとされたことを特徴とする、単一形態トランジスタを具えた走査駆動回路。
【請求項５】
請求項４記載の単一形態トランジスタを具えた走査駆動回路において、ロジック回路ユニット中の複数のトランジスタが、
ゲートが前置端の信号入力端に接続されると共に、ドレインが第２トランジスタに接続された第１トランジスタと、
ゲートが第１入力クロックセットの信号入力端に接続されると共に、ソースが第１トランジスタに接続され、ドレインが第３トランジスタに接続された第２トランジスタと、
ゲートが第２入力クロックセットの信号入力端に接続されると共に、ドレインが第２トランジスタに接続された第３トランジスタと、
を具え、該第１トランジスタのドレインと第２トランジスタのソースの接続部分に前記出力端が接続されたことを特徴とする、単一形態トランジスタを具えた走査駆動回路。
【請求項６】
請求項５記載の単一形態トランジスタを具えた走査駆動回路において、第３トランジスタのドレインが接地するか或いは自身のゲートに接続されたことを特徴とする、単一形態トランジスタを具えた走査駆動回路。
【請求項７】
請求項４記載の単一形態トランジスタを具えた走査駆動回路において、複数のロジック回路ユニット中の一つの前置端が別のロジック回路ユニット中の出力端に接続されたことを特徴とする、単一形態トランジスタを具えた走査駆動回路。
【請求項８】
単一形態トランジスタを具えた走査駆動回路において、該走査駆動回路は、異なる信号入力を受け、複数の単一形態トランジスタにより信号の演算処理を行ない、そのステップが、
第１クロック入力セットと第２クロック入力セットを具えた複数組のクロック信号を入力し、並びにマトリックスモードの回路接続により、クロック信号を複数のロジック回路ユニットに入力するステップと、
ロジック演算処理を行ない、複数のロジック回路ユニットにより走査駆動の制御信号を出力するステップと、
複数のロジック回路ユニットの出力した制御信号により液晶ディスプレイユニットを制御する液晶ディスプレイユニット駆動のステップと、
を具え、以上のステップにより走査作業を完成することを特徴とする、単一形態トランジスタを具えた走査駆動回路。
【請求項９】
請求項８記載の単一形態トランジスタを具えた走査駆動回路において、第１クロック入力セットが複数の入力クロックを具え、並びにそれぞれが複数のロジック回路ユニット中の第１入力端（Ｐ）に入力されることを特徴とする、単一形態トランジスタを具えた走査駆動回路。
【請求項１０】
請求項８記載の単一形態トランジスタを具えた走査駆動回路において、第２クロック入力セットが複数の入力クロックを具え、並びにそれぞれが複数のロジック回路ユニット中の第２入力端（Ｐ）に入力されることを特徴とする、単一形態トランジスタを具えた走査駆動回路。
【請求項１１】
請求項８記載の単一形態トランジスタを具えた走査駆動回路において、ロジック演算を行なう複数のロジック回路ユニットがｐ型トランジスタとされたことを特徴とする、単一形態トランジスタを具えた走査駆動回路。
【請求項１２】
請求項１１記載の単一形態トランジスタを具えた走査駆動回路において、入力される複数組のクロック信号が低レベル信号とされて複数のロジック回路ユニットのロジック演算実行を制御することを特徴とする、単一形態トランジスタを具えた走査駆動回路。
【請求項１３】
請求項１１記載の単一形態トランジスタを具えた走査駆動回路において、複数のロジック回路ユニットによる液晶ディスプレイの走査実行駆動は、
第１トランジスタによる高レベルの制御信号出力を持続する制御信号出力維持のステップと、
第２トランジスタと第３トランジスタにより第１クロック入力セットの入力クロック信号と第２クロック入力セットの入力クロック信号を受け取るクロック信号受け取りのステップと、
第１トランジスタと第２トランジスタのドレインの接続により、第２トランジスタと第３トランジスタが低レベル信号を出力する時に第１トランジスタの高レベルの制御信号出力を抑制し、並びにドレインにより低レベル制御信号を外接、出力する低レベル制御信号出力のステップと、
低レベル制御信号により液晶ディスプレイユニットを駆動して走査の作業を行なう液晶ディスプレイユニット駆動のステップと、
を具えたことを特徴とする、単一形態トランジスタを具えた走査駆動回路。
【請求項１４】
請求項１３記載の単一形態トランジスタを具えた走査駆動回路において、第３トランジスタのドレインが接地するか或いは自身のゲートに接続されたことを特徴とする、単一形態トランジスタを具えた走査駆動回路。
【請求項１５】
請求項８記載の単一形態トランジスタを具えた走査駆動回路において、ロジック演算を実行する複数のロジック回路ユニットがｎ型トランジスタとされたことを特徴とする、単一形態トランジスタを具えた走査駆動回路。
【請求項１６】
請求項１５記載の単一形態トランジスタを具えた走査駆動回路において、入力される複数組のクロック信号が高レベル信号とされて複数のロジック回路ユニットのロジック演算実行を制御することを特徴とする、単一形態トランジスタを具えた走査駆動回路。
【請求項１７】
請求項１１記載の単一形態トランジスタを具えた走査駆動回路において、複数のロジック回路ユニットによる液晶ディスプレイの走査実行駆動は、
第１トランジスタによる低レベルの制御信号出力を持続する制御信号出力維持のステップと、
第２トランジスタと第３トランジスタにより第１クロック入力セットの入力クロック信号と第２クロック入力セットの入力クロック信号を受け取るクロック信号受け取りのステップと、
第１トランジスタと第２トランジスタのドレインの接続により、第２トランジスタと第３トランジスタが高レベル信号を出力する時に第１トランジスタの低レベルの制御信号出力を抑制し、並びにドレインにより高レベル制御信号を外接、出力する高レベル制御信号出力のステップと、
高レベル制御信号により液晶ディスプレイユニットを駆動して走査の作業を行なう液晶ディスプレイユニット駆動のステップと、
を具えたことを特徴とする、単一形態トランジスタを具えた走査駆動回路。
【請求項１８】
請求項１７記載の単一形態トランジスタを具えた走査駆動回路において、第３トランジスタのドレインが接地するか或いは自身のゲートに接続されたことを特徴とする、単一形態トランジスタを具えた走査駆動回路。
【発明の詳細な説明】
【技術分野】
【０００１】
本発明は単一形態トランジスタを具えた走査駆動回路に係り、単一形態の薄膜トランジスタの運用により形成される薄膜トランジスタ液晶ディスプレイの製造に関するものである。
【背景技術】
【０００２】
基礎科学と応用技術の不断の発展と創造により、人類の生活は不断に改善されている。画像表示を例に挙げると、最も早期には黒白画像表示しか行なえなかったテレビジョンは、今日一般に家庭に普及しているカラーテレビとなり、地域で一台のテレビジョンを観ていたのが、今日では一人に一台に近い状況になっており、この数十年で非常に発展してきたが、現在、一般のカラーテレビも消費者の要求を満たさなくなっている。空間の利用と観念の改変に応じ、将来の要求に符合させるための、液晶ディスプレイの開発、改良が本発明の重点である。
【０００３】
液晶ディスプレイの強調するのは、その具備する空間と輻射の特性であり、その提供する長所を強化するため、薄膜トランジスタを使用した液晶ディスプレイが出現した。それは占用する空間が小さく、消費者が空間を有効に運用できる設計を有する。しかし、周知の技術により製造された液晶ディスプレイには欠点がある。そのうち、解析度が１２８０×１０２４の走査線のものを例に挙げると、周知の技術の運用する方法は１０２４ステージのロジックアレイ回路を以て実現されるが、このような構造は以下の欠点がある。
１．１０２４ステージのロジックアレイ回路面積は相当に膨大である。
２．この１０２４ステージのロジックアレイ回路中の一つのステージに問題が発生すると、それ以下の表示画面を正常に表示できなくなる。
【０００４】
このほか、図１に示される周知の技術で使用される走査駆動回路は左側に電源線２０があり、それは回路に適当な電源を提供し、図１の右側に別に接地線２１があり回路の接続を形成し、電源線２０と接地線２１のほか、ディスプレイの走査駆動を行なう回路があり、それは三組の異なる制御信号入力（Ｗ１〜４，Ｎ１〜４，Ｇ１〜４）を具え、それに接続された１６組の走査回路ユニット（Ｓｃａｎ  Ｃｉｒｃｕｉｔ  Ｕｎｉｔｓ）１〜１６を駆動し、異なる走査行線２４、２５、２６の接続により、走査表示回路（Ｃｏｌｕｍｎ  Ｃｉｒｃｕｉｔｓ）２７を駆動して画像走査の作業を行なう。この周知の技術は、前述した１０２４ステージのロジックアレイ回路の必要とする大面積とその他の欠点を解決するが、運用上、三組の走査行回路中の二組（Ｎ１〜４，Ｇ１〜４）が同じロジック信号を逆相とする方式で運用され、このため、回路が複雑となる欠点を有し、さらに多くの出力端子数のために、信号が干渉を受けやすくなる。
【０００５】
このほか、図２は別の周知の技術の回路図であり、この図から分かるように、走査の作業を実行する時、回路の接続とトランジスタのロジック信号出力により、画像走査の駆動処理作業の制御を達成するが、その運用する回路接続は実際には三組以上の制御信号を必要とし、且つトランジスタとアレイ回路の接続は十分に複雑であり、並びに有効に回路接続を簡易化できない。
【発明の開示】
【発明が解決しようとする課題】
【０００６】
本発明は一種の単一形態トランジスタを具えた走査駆動回路を提供し、それは従来の技術に対して解決方法を提供するものである。本発明は単一形態の薄膜トランジスタを利用して薄膜トランジスタ液晶ディスプレイを設計することにより、薄膜トランジスタ液晶ディスプレイの製造工程数を減らし、製造コストを減らし、エラー出現率を減らして歩留りを高め、さらに製造中に使用するマスクの数を減らすことができるものとする。
【０００７】
本発明の使用する制御信号は、１６ステージの走査駆動回路を例に挙げると、ただ二組のクロック信号を入力すれば走査の作業を駆動できる。その方法は、二組のクロック信号をアレイ回路の接続方式で異なるロジック回路ユニットに入力し、異なるロジックユニット中において受け取った異なる制御クロック信号を処理した後、制御のクロック信号を出力して走査の作業の駆動を完成する。
【０００８】
以上の方法と回路の接続により、有効に従来の技術の欠点を解決し、全体構造の機能を高める。
【課題を解決するための手段】
【０００９】
請求項１の発明は、単一形態の薄膜トランジスタを採用して設計された液晶ディスプレイに運用される単一形態トランジスタを具えた走査駆動回路において、
異なるクロックの複数の信号入力で組成され、並びに次ステージのロジック回路中の第１入力端に接続される第１クロック入力セットと、
異なるクロックの複数の信号入力で組成され、並びに次ステージのロジック回路中の第２入力端に接続される第２クロック入力セットと、
複数のロジック回路ユニットで組成されると共に、各ロジック回路ユニット中に該第１入力端と該第２入力端が設置されているほか、前置端と出力端が設置された、ロジック回路セットと、
を具え、走査駆動回路が異なるクロックの信号出力制御信号を受け取ることにより、液晶ディスプレイの表示ユニットを駆動することを特徴とする、単一形態トランジスタを具えた走査駆動回路としている。
請求項２の発明は、請求項１記載の単一形態トランジスタを具えた走査駆動回路において、第１クロック入力セットが複数の入力クロックを具えたことを特徴とする、単一形態トランジスタを具えた走査駆動回路としている。
請求項３の発明は、請求項１記載の単一形態トランジスタを具えた走査駆動回路において、第２クロック入力セットが複数の入力クロックを具えたことを特徴とする、単一形態トランジスタを具えた走査駆動回路としている。
請求項４の発明は、請求項１記載の単一形態トランジスタを具えた走査駆動回路において、各ロジック回路ユニットが複数のトランジスタを具えると共に、各トランジスタがｐ型トランジスタ或いはｎ型トランジスタとされたことを特徴とする、単一形態トランジスタを具えた走査駆動回路としている。
請求項５の発明は、請求項４記載の単一形態トランジスタを具えた走査駆動回路において、ロジック回路ユニット中の複数のトランジスタが、
ゲートが前置端の信号入力端に接続されると共に、ドレインが第２トランジスタに接続された第１トランジスタと、
ゲートが第１入力クロックセットの信号入力端に接続されると共に、ソースが第１トランジスタに接続され、ドレインが第３トランジスタに接続された第２トランジスタと、
ゲートが第２入力クロックセットの信号入力端に接続されると共に、ドレインが第２トランジスタに接続された第３トランジスタと、
を具え、該第１トランジスタのドレインと第２トランジスタのソースの接続部分に前記出力端が接続されたことを特徴とする、単一形態トランジスタを具えた走査駆動回路としている。
請求項６の発明は、請求項５記載の単一形態トランジスタを具えた走査駆動回路において、第３トランジスタのドレインが接地するか或いは自身のゲートに接続されたことを特徴とする、単一形態トランジスタを具えた走査駆動回路としている。
請求項７の発明は、請求項４記載の単一形態トランジスタを具えた走査駆動回路において、複数のロジック回路ユニット中の一つの前置端が別のロジック回路ユニット中の出力端に接続されたことを特徴とする、単一形態トランジスタを具えた走査駆動回路としている。
請求項８の発明は、単一形態トランジスタを具えた走査駆動回路において、該走査駆動回路は、異なる信号入力を受け、複数の単一形態トランジスタにより信号の演算処理を行ない、そのステップが、
第１クロック入力セットと第２クロック入力セットを具えた複数組のクロック信号を入力し、並びにマトリックスモードの回路接続により、クロック信号を複数のロジック回路ユニットに入力するステップと、
ロジック演算処理を行ない、複数のロジック回路ユニットにより走査駆動の制御信号を出力するステップと、
複数のロジック回路ユニットの出力した制御信号により液晶ディスプレイユニットを制御する液晶ディスプレイユニット駆動のステップと、
を具え、以上のステップにより走査作業を完成することを特徴とする、単一形態トランジスタを具えた走査駆動回路としている。
請求項９の発明は、請求項８記載の単一形態トランジスタを具えた走査駆動回路において、第１クロック入力セットが複数の入力クロックを具え、並びにそれぞれが複数のロジック回路ユニット中の第１入力端（Ｐ）に入力されることを特徴とする、単一形態トランジスタを具えた走査駆動回路としている。
請求項１０の発明は、請求項８記載の単一形態トランジスタを具えた走査駆動回路において、第２クロック入力セットが複数の入力クロックを具え、並びにそれぞれが複数のロジック回路ユニット中の第２入力端（Ｐ）に入力されることを特徴とする、単一形態トランジスタを具えた走査駆動回路としている。
請求項１１の発明は、請求項８記載の単一形態トランジスタを具えた走査駆動回路において、ロジック演算を行なう複数のロジック回路ユニットがｐ型トランジスタとされたことを特徴とする、単一形態トランジスタを具えた走査駆動回路としている。
請求項１２の発明は、請求項１１記載の単一形態トランジスタを具えた走査駆動回路において、入力される複数組のクロック信号が低レベル信号とされて複数のロジック回路ユニットのロジック演算実行を制御することを特徴とする、単一形態トランジスタを具えた走査駆動回路としている。
請求項１３の発明は、請求項１１記載の単一形態トランジスタを具えた走査駆動回路において、複数のロジック回路ユニットによる液晶ディスプレイの走査実行駆動は、
第１トランジスタによる高レベルの制御信号出力を持続する制御信号出力維持のステップと、
第２トランジスタと第３トランジスタにより第１クロック入力セットの入力クロック信号と第２クロック入力セットの入力クロック信号を受け取るクロック信号受け取りのステップと、
第１トランジスタと第２トランジスタのドレインの接続により、第２トランジスタと第３トランジスタが低レベル信号を出力する時に第１トランジスタの高レベルの制御信号出力を抑制し、並びにドレインにより低レベル制御信号を外接、出力する低レベル制御信号出力のステップと、
低レベル制御信号により液晶ディスプレイユニットを駆動して走査の作業を行なう液晶ディスプレイユニット駆動のステップと、
を具えたことを特徴とする、単一形態トランジスタを具えた走査駆動回路としている。
請求項１４の発明は、請求項１３記載の単一形態トランジスタを具えた走査駆動回路において、第３トランジスタのドレインが接地するか或いは自身のゲートに接続されたことを特徴とする、単一形態トランジスタを具えた走査駆動回路としている。
請求項１５の発明は、請求項８記載の単一形態トランジスタを具えた走査駆動回路において、ロジック演算を実行する複数のロジック回路ユニットがｎ型トランジスタとされたことを特徴とする、単一形態トランジスタを具えた走査駆動回路としている。
請求項１６の発明は、請求項１５記載の単一形態トランジスタを具えた走査駆動回路において、入力される複数組のクロック信号が高レベル信号とされて複数のロジック回路ユニットのロジック演算実行を制御することを特徴とする、単一形態トランジスタを具えた走査駆動回路としている。
請求項１７の発明は、請求項１１記載の単一形態トランジスタを具えた走査駆動回路において、複数のロジック回路ユニットによる液晶ディスプレイの走査実行駆動は、
第１トランジスタによる低レベルの制御信号出力を持続する制御信号出力維持のステップと、
第２トランジスタと第３トランジスタにより第１クロック入力セットの入力クロック信号と第２クロック入力セットの入力クロック信号を受け取るクロック信号受け取りのステップと、
第１トランジスタと第２トランジスタのドレインの接続により、第２トランジスタと第３トランジスタが高レベル信号を出力する時に第１トランジスタの低レベルの制御信号出力を抑制し、並びにドレインにより高レベル制御信号を外接、出力する高レベル制御信号出力のステップと、
高レベル制御信号により液晶ディスプレイユニットを駆動して走査の作業を行なう液晶ディスプレイユニット駆動のステップと、
を具えたことを特徴とする、単一形態トランジスタを具えた走査駆動回路としている。
請求項１８の発明は、請求項１７記載の単一形態トランジスタを具えた走査駆動回路において、第３トランジスタのドレインが接地するか或いは自身のゲートに接続されたことを特徴とする、単一形態トランジスタを具えた走査駆動回路としている。
【発明の効果】
【００１０】
本発明は一種の単一形態トランジスタを具えた走査駆動回路を提供し、それは従来の技術に対して解決方法を提供するものである。本発明は単一形態の薄膜トランジスタを利用して薄膜トランジスタ液晶ディスプレイを設計することにより、薄膜トランジスタ液晶ディスプレイの製造工程数を減らし、製造コストを減らし、エラー出現率を減らして歩留りを高め、さらに製造中に使用するマスクの数を減らすことができる。
【００１１】
本発明の使用する制御信号は、１６ステージの走査駆動回路を例に挙げると、ただ二組のクロック信号を入力すれば走査の作業を駆動できる。その方法は、二組のクロック信号をアレイ回路の接続方式で異なるロジック回路ユニットに入力し、異なるロジックユニット中において受け取った異なる制御クロック信号を処理した後、制御のクロック信号を出力して走査の作業の駆動を完成する。
【００１２】
以上の方法と回路の接続により、有効に従来の技術の欠点を解決し、全体構造の機能を高めることができる。
【発明を実施するための最良の形態】
【００１３】
本発明の単一形態トランジスタを具えた走査駆動回路は、薄膜トランジスタ液晶ディスプレイの製造に使用される。図３は本発明の単一形態トランジスタを具えた走査駆動回路の第１実施例の回路構造表示図であり、そのうち、走査駆動回路中には、第１クロック入力セットを具え、この第１クロック入力セットは複数の入力クロックで組成され、第１入力クロックＰ１、第２入力クロックＰ２、第３入力クロックＰ３と第４入力クロックＰ４を具え、複数の異なる入力クロックＰ１〜Ｐ４が次のステージのロジック回路セット中のロジック回路ユニットＲ１〜Ｒ８の第１入力端ＰＲ１〜ＰＲ８に接続されている。このほか、第１クロック入力セットのほか、第２クロック入力セットを具え、この第２クロック入力セットは第５入力クロックＱ１、第６入力クロックＱ２、第７入力クロックＱ３、第８入力クロックＱ４を具え、同様に次のステージのロジック回路セット中のロジック回路ユニットＲ１〜Ｒ８中の第２入力端ＱＲ１〜ＱＲ８に接続されている。
【００１４】
ロジック回路セット中のロジック回路ユニットＲ１〜Ｒ８が異なるクロック入力セットより伝送された複数の入力クロックＰ１〜Ｐ４、Ｑ１〜Ｑ４を受け取るとき、内部トランジスタのロジック回路演算処理により、異なる出力制御クロック信号ＯＲ１〜ＯＲ８が得られ、入力クロックＰ１〜Ｐ４、Ｑ１〜Ｑ４と出力制御クロック信号ＯＲ１〜ＯＲ８の関係は図４に示されるとおりである。このほか、ロジック回路ユニットＲ１〜Ｒ８中に設置された第１入力端ＰＲ１〜ＰＲ８と第２入力端ＱＲ１〜ＱＲ８は、それぞれ第１入力クロックセットと第２入力クロックセットを受け取る。このほか、更に前置端Ｐｒｅｃｈａｒｇｅ  Ｒ１〜Ｐｒｅｃｈａｒｇｅ  Ｒ８と出力端ＯＲ１〜ＯＲ８を具え、走査駆動回路の第１入力端ＰＲ１〜ＰＲ８と第２入力端ＱＲ１〜ＱＲ８が異なるクロックの信号出力制御信号を受け取ることにより、出力端ＯＲ１〜ＯＲ８より液晶ディスプレイの表示ユニットを駆動する制御信号が出力される。
【００１５】
続いて、図４を参照されたい。図４は本発明の第１実施例の信号入力／出力表示図であり、図から分かるように、本発明の実施例は単一形態のｐ型トランジスタを運用して設計され、これによりクロック入力の部分は低レベルのクロック信号によりトランジスタの演算処理が制御される。そのうち、第１から第４入力クロックＰ１〜Ｐ４は連続する長く低レベルのクロック信号であり、第５から第８入力クロックＱ１〜Ｑ４は連続する短く低レベルのクロック信号であり、即ち第５から第８入力クロックＱ１〜Ｑ４のクロックの低レベルパルスの発生は各一つの長く低レベルのクロック信号Ｐ１〜Ｐ４の低レベルパルス発生のタイムスロット内であり、第１から第８入力クロックＰ１〜Ｐ４、Ｑ１〜Ｑ４の入力が、ロジック回路ユニットＲ１〜Ｒ８でロジック演算処理されることにより、異なる低レベルクロックパルスのロジック出力制御クロック信号ＯＲ１〜ＯＲ８が得られる。
【００１６】
図５を参照されたい。図５は本発明の実施例のロジック回路ユニットトランジスタの第１接続表示図であり、そのうち、各ロジック回路ユニット中には三つのトランジスタがあり、本発明の実施例中で使用されているトランジスタは単一形態のｐ型トランジスタとされる。これにより、図４で説明したように、低レベルの信号入力によりこの複数のロジック回路ユニットのロジック演算実行が制御される。実際の運用上、第１トランジスタＴ１は、前置端Ｐｒｅｃｈａｒｇｅの信号入力端とされ、並びに第２トランジスタＴ２と接続され、第２トランジスタＴ２は第１入力クロックセットの信号入力端とされて、第１入力端Ｐが設置され、並びに第１トランジスタＴ１と第３トランジスタＴ３に接続され、最後に、第３トランジスタＴ３が第２入力クロックセットの信号入力端とされ、第２入力端Ｑが設置され、第３トランジスタＴ３のドレインが自身のソースに接続され、上述の回路接続方式により第１トランジスタＴ１と第２トランジスタＴ２の接続部分に出力Ｏｕｔが外接されうる。
【００１７】
図６を参照されたい。図６は本発明の実施例のロジック回路ユニットトランジスタの第２接続表示図であり、図５のロジック回路ユニットの第１接続回路方式と相似であるが、異なるところは、第３トランジスタＴ３のドレインが自身のソースと接続されず、接地の方式で回路の設計が完成されていることである。
【００１８】
図７は本発明の第２実施例の回路構造表示図であり、第１実施例と類似しているが、第２実施例の異なるところは、ロジック回路ユニット中の前置端Ｐｒｅｃｈａｒｇｅが別のロジック回路ユニットＲ１〜Ｒ８中の出力端ＯＲ１〜ＯＲ８に接続されていることであり、その他の部分は同じであるため説明は省略する。
【００１９】
第２実施例中で使用されているロジック回路ユニットのトランジスタも図５、６に示される回路接続方式により回路の接続が完成されている。
【００２０】
続いて図８を参照されたい。図８は本発明の実施例の動作フローチャートである。まず、起動８０し、ロジック制御信号の処理を開始し、複数組のクロック信号を入力８１し、このクロック信号は第１クロック入力セットと第２クロック入力セットを具え、マトリックスモードの回路接続により、クロック信号を複数のロジック回路ユニットに入力する。その後委、ロジック演算処理８２を行ない、複数のロジック回路ユニットによりロジック制御信号の演算処理を行ない、走査駆動の制御信号を出力して液晶ディスプレイユニットを駆動８３し、こうしてディスプレイの走査駆動の信号処理出力を終了する。
【００２１】
上述の回路と動作フローの説明から分かるように、本発明は異なる二組の入力クロックＰ１〜Ｐ４、Ｑ１〜Ｑ４により、アレイ回路方式で異なるロジック回路ユニットに入力し、内部のトランジスタロジック演算により、走査駆動の制御信号を出力する。前述したように入力クロック信号は低レベルパルス駆動のクロック信号とされ、それは使用されるｐ型単一形態トランジスタに組み合わされる。しかし実際には、回路の設計上、ｎ型の単一形態トランジスタの使用も可能で、この場合、入力するクロックにあっては高レベルパルス駆動のクロック信号を運用できる。
【００２２】
図９は本発明のロジック回路ユニット内での走査実行の動作フローチャートである。まず、開始９０し、制御信号の出力を維持９１し、第１トランジスタの前置端Ｐｒｅｃｈａｒｇｅ  Ｒ１〜Ｐｒｅｃｈａｒｇｅにより制御信号出力を持続し、その後、第２トランジスタと第３トランジスタによりそれぞれクロック信号を受け取り９２、このクロック信号は第１クロック入力セットの入力クロック信号と第２クロック入力セットの入力クロック信号を含み、トランジスタの信号処理により、第１トランジスタと第２トランジスタのドレイン接続部分の出力端が制御信号を出力９３し、この制御信号により液晶ディスプレイユニットを駆動９４し、走査駆動のロジック信号処理作業を終了９５する。
【００２３】
以上は本発明の詳細な説明であり、総合すると、本発明は目的と機能上、十分に実施上の進歩性と産業上の利用価値を有しており、且つ本発明は未公開であり、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【００２４】
【図１】従来の技術の第１実施例の回路表示図である。
【図２】従来の技術の第２実施例の回路表示図である。
【図３】本発明の第１実施例の回路構造表示図である。
【図４】本発明の第１実施例の信号入力／出力表示図である。
【図５】本発明の実施例のロジック回路ユニットトランジスタの第１接続表示図である。
【図６】本発明の実施例のロジック回路ユニットトランジスタの第２接続表示図である。
【図７】本発明の第２実施例の回路構造表示図である。
【図８】本発明の実施例の動作フローチャートである。
【図９】本発明の実施例のロジック回路ユニットの走査実行の動作フローチャートである。
【符号の説明】
【００２５】
Ｄ１〜Ｄ２４  ロジックゲート
Ｓ１〜Ｓ２４  制御信号入力
Ｇ１〜Ｇ４  逆相制御信号入力
Ｉ１〜Ｉ４  逆方向制御ユニット
Ｎ１〜Ｎ４  正相制御信号入力
ＯＲ１〜ＯＲ８  出力端
Ｏｕｔ  出力
ＰＲ１〜ＰＲ８  第１入力端
Ｐ１  第１入力クロック
Ｐ２  第２入力クロック
Ｐ３  第３入力クロック
Ｐ４  第４入力クロック
Ｐｒｅｃｈａｒｇｅ  前置端
Ｐｒｅｃｈａｒｇｅ  Ｒ１〜Ｐｒｅｃｈａｒｇｅ  Ｒ８  前置端
ＱＲ１〜ＱＲ８  第２入力端
Ｑ１  第５入力クロック
Ｑ２  第６入力クロック
Ｑ３  第７入力クロック
Ｑ４  第８入力クロック
Ｒ１〜Ｒ８  ロジック回路ユニット
Ｔ１  第１トランジスタ
Ｔ２  第２トランジスタ
Ｔ３  第３トランジスタ
ＶＤＤ  電圧
Ｗ１〜Ｗ４  制御信号入力
１〜１６  走査行回路
２０  電源線
２１  接地線
２４〜２６  走査行線
２７  走査表示回路
８０  開始
８１  複数組のクロック信号入力
８２  ロジック演算処理実行
８３  液晶ディスプレイユニット駆動
８４  終了
９０  開始
９１  制御信号出力
９２  クロック信号受け取り
９３  制御信号出力
９４  液晶ディスプレイユニット駆動
９５  終了
【図１】
2005004157.tif 000003
【図２】
2005004157.tif 000004
【図３】
2005004157.tif 000005
【図４】
2005004157.tif 000006
【図５】
2005004157.tif 000007
【図６】
2005004157.tif 000008
【図７】
2005004157.tif 000009
【図８】
2005004157.tif 000010
【図９】
2005004157.tif 000011